(57)【要約】【課題】遊技者の指と掌に捩れを生じず、十分なフィット感が付与されて、ハンドル操作する遊技者が疲労感を覚えることなくスムーズな回転操作ができる。【解決手段】ハンドルリング３の一部３３がハンドルカバー４の前面の一部を覆うように延出して、ハンドルリング３の一部３３とこれに覆われていないハンドルカバー４の露出部４１とでハンドル１の前面が形成されている。周方向の外周に回転操作用の指掛け部３１が形成されたハンドルリング３の外形を、ハンドル１の下方部が手前側へ隆起しハンドル前面が上記隆起した頂点から上方へ向けてなだらかに下り傾斜している形状に成形する。【選択図】        図３
2004267354.tif 000002
【特許請求の範囲】
【請求項１】
支持部により回転可能に支持され、回転操作されることによって遊技球の打ち出し強度を変更する回転操作部をそなえた遊技球発射装置のハンドル構造であって、周方向の外周に回転操作用の指掛け部を形成した前記回転操作部の外形を、当該回転操作部の前記指掛け部を形成した外周と反対側の外周が手前側へ隆起し、前記回転操作部の前面が前記隆起した頂点から前記指掛け部を形成した外周へ向けてなだらかに下り傾斜している形状に成形したことを特徴とする遊技球発射装置のハンドル構造。
【請求項２】
支持部により回転可能に支持され、回転操作されることによって遊技球の打ち出し強度を変更する回転操作部をそなえた遊技球発射装置のハンドル構造であって、周方向の外周に回転操作用の指掛け部を形成した前記回転操作部の外形の下方部を手前側へ隆起させ、前記回転操作部の前面が前記隆起した頂点から上方へ向けてなだらかに下り傾斜している形状にしたことを特徴とする遊技球発射装置のハンドル構造。
【請求項３】
前記回転操作部は、前記支持部を構成するハンドルカバーとハンドルベースの間に回転可能に位置させられたハンドルリングであり、前記ハンドルリングの一部が前記ハンドルカバーの前面の一部を覆うように延出して、前記ハンドルリングの一部とこれに覆われていない前記ハンドルカバーの露出部とでハンドルの前面が形成されている請求項１又は２に記載の遊技球発射装置のハンドル構造。
【発明の詳細な説明】
【０００１】
【発明の属する技術分野】
本発明は遊技球発射装置のハンドル構造に関し、特に、スムーズな回転操作が可能なハンドル構造の改良に関する。
【０００２】
【従来の技術】
パチンコ機等の遊技機における遊技球発射装置では、回転操作できるハンドルリングを設けて当該ハンドルリングを遊技者が所望の回転位置へ操作することによって遊技球の打ち出し強度を調整できるようにしている。この場合、ハンドルリングは例えば特許文献１に示されるように、ハンドルカバーとハンドルベースによって前後から回転可能に挟持された構造とすることが多い。そして、ハンドルリングの手前に位置するハンドルカバーは多くの場合、略球面をなして前方へ膨出する形状としてある。
【特許文献１】特許第２９９５４２９号公報
【０００３】
【発明が解決しようとする課題】
しかし、上記従来の構造では、ハンドルリングを回転させる際に遊技者の指はハンドルリングに掛かるが、掌はハンドルリングの手前に位置する静止したハンドルカバーに接しているため指と掌に捩れを生じる上に、略球面をなして前方へ膨出するハンドルカバーの形状は掌にフィットしない。これにより、ハンドル操作をする遊技者が疲労感を覚えるという問題があった。
【０００４】
そこで本発明はこのような課題を解決するもので、遊技者の指と掌に捩れを生じず、しかも十分なフィット感が付与されて、ハンドル操作する遊技者が疲労感を覚えることなくスムーズな回転操作ができる遊技球発射装置のハンドル構造を提供することを目的とする。
【０００５】
【課題を解決するための手段】
上記目的を達成するために、本第１発明では、支持部（２，４）により回転可能に支持され、回転操作されることによって遊技球の打ち出し強度を変更する回転操作部（Ｅ）をそなえた遊技球発射装置のハンドル構造であって、周方向の外周に回転操作用の指掛け部（３１，３２）を形成した回転操作部（Ｅ）の外形を、当該回転操作部（Ｅ）の上記指掛け部を形成した外周と反対側の外周が手前側へ隆起し、回転操作部（Ｅ）の前面が上記隆起した頂点から指掛け部（３１，３２）を形成した外周へ向けてなだらかに下り傾斜している形状に成形する。ここで、周方向の外周に回転操作用の指掛け部（３１，３２）を形成した回転操作部（Ｅ）の外形の下方部を手前側へ隆起させ、回転操作部（Ｅ）の前面が上記隆起した頂点から上方へ向けてなだらかに下り傾斜している形状とすることができる。
【０００６】
本第１発明において、回転操作部を遊技者が回転操作する場合には、指掛け部に指を掛けるとともに、掌を回転操作部の前面に沿って置く。この前面は、隆起した頂点から指掛け部を形成した外周へ向けて、あるいは上方へ向けてなだらかに下り傾斜しているから、回転操作部を掴む遊技者の掌の形状に良く沿ったものとなっており、充分なフィット感を得ることができるとともに、指掛け部に掛けた指と、延出部に載せた掌が一体に回転するから指と掌に捩れを生じることがない。
【０００７】
本第２発明では、上記回転操作部（Ｅ）は、支持部を構成するハンドルカバー（４）とハンドルベース（２）の間に回転可能に位置させられたハンドルリング（３）であり、ハンドルリング（３）の一部（３３）がハンドルカバー（４）の前面の一部を覆うように延出して、ハンドルリング（３）の一部（３３）とこれに覆われていないハンドルカバー（４）の露出部（４１）とでハンドル（１）の前面が形成されている。
【０００８】
本第２発明においても、ハンドルリングを掴む遊技者に充分なフィット感を付与することができるとともに、遊技者の掌の略半部をハンドルリングの一部に載せるとともに、掌の残る略半部をハンドルカバーの露出部に対してやや浮かすことにより、指掛け部に掛けた指と、ハンドルリングの一部に載せた掌が一体に回転して、指と掌に捩れを生じることが防止される。所定の回転位置でハンドルリングを保持する場合には、掌の上記残る略半部をハンドルカバーの露出部に載せるようにすると、静止した露出部と掌との間に摩擦力を生じて、バネ部材によって戻り方向へ回転付勢されているハンドルリングを容易に所定回転位置で保持することができる。この場合、ハンドルカバーの露出部とハンドルリングの一部を互いに異なる色とすれば、ハンドル前面に模様が形成されてその意匠性が向上する。
【０００９】
なお、上記カッコ内の符号は、後述する実施形態に記載の具体的手段との対応関係を示すものである。
【００１０】
【発明の実施の形態】
図１には本発明に係る遊技球発射装置のハンドルの一例を示す。図１において、球皿Ｔを設けた遊技機の前板Ｐには、球皿Ｔの斜め下方位置にハンドル１が設けられている。ハンドル１は前板Ｐに固定された円筒状のハンドルベース２と、遊技者により回転操作されるハンドルリング３と、ハンドルリング３の手前側に位置する略球面をなす半容器状のハンドルカバー４を備えている。
【００１１】
図２〜図５には上記ハンドル１の詳細を示す。ここで、図２はハンドル１の正面図、図３はハンドル１の左側面図、図４はハンドル１の右側面図、図５はハンドル１の平面図である。回転操作部Ｅたるハンドルリング３の、ハンドルベース２とハンドルカバー４の間に位置する部分は円板体で、その中心部が公知の構造によってハンドルベース２の中心に貫設された軸体２１（図３）に回転自在に装着されている。ハンドルリング３の外周部は、前後に位置するハンドルベース２とハンドルカバー４の開口縁に近接して連続したハンドルの外観を形作っているとともに、ハンドルリング３の外周部は以下に説明するような特徴的な外形となっている。
【００１２】
すなわち、ハンドルリング３の外周上半部には正面視で明らかなように（図２）、周方向の二箇所に径方向外方へ突出する指掛け部３１，３２が形成されるとともに、当該外周部の一部は、略球面をなすハンドルカバー４の前面の指掛け部３２からその径方向対称位置へ至るまでのほぼ半円部を覆うように延出する延出部３３となっている。ハンドルカバー４とハンドルリング３は例えば黒色と銀色のように互いに異なる色で構成されており、ハンドルカバー４前面のうちの、銀色のハンドルリング延出部３３で覆われていない略半円の部分は黒色の露出部４１となって外方から容易に視認できる。このようなハンドルリング３の延出部３３とハンドルカバー４の露出部４１とでハンドル１の前面が形成されている。そして、指掛け部３１，３２を形成した外周とは反対側のハンドルリング延出部３３の下方部は、図３、図４に示すように、手前側（図３の右方、図４の左方）へ隆起しており、ハンドル１の前面は、隆起した頂点から上方へ向けてなだらかに下り傾斜する面となっている。
【００１３】
このような構造のハンドル１のハンドルリング３を遊技者が回転操作する場合には、図３に示すように指掛け部３１に親指Ｍ１を掛けるとともに、指掛け部３２には薬指を掛け、掌を、ハンドルリング３の延出部３３とハンドルカバー４の露出部４１で形成されるハンドル１の前面に沿って置く。この前面は既述のように、隆起した頂点から上方へ向けてなだらかに下り傾斜しているから、ハンドルリング３を掴む遊技者の掌の形状に良く沿ったものとなっており、充分なフィット感を得ることができる。この場合、遊技者の掌の略半部をハンドルリング３の延出部３３に載せるとともに、掌の残る略半部はハンドルカバー４の露出部４１に対してやや浮かすようにすると、指掛け部３１，３２に掛けた指と、延出部３３に載せた掌が一体に回転するから指と掌に捩れを生じることがない。
【００１４】
所定の回転位置でハンドルリング３を保持する場合には、掌の上記残る略半部をハンドルカバー４の露出部４１に載せるようにすれば、静止した露出部４１と掌との間に摩擦力を生じて、バネ部材によって戻り方向へ回転付勢されているハンドルリング３を容易に所定回転位置で保持することができる。また、本実施形態のようにハンドルカバー４とハンドルリング３を互いに異なる色で構成すれば、色の異なるハンドルカバー露出部４１とハンドルリング延出部３３とでハンドル１前面に模様が形成されてその意匠性が向上する。
【００１５】
なお、上記実施形態ではハンドルリング３とハンドルカバー４を別体のもとしたが、ハンドルカバー４をハンドルリング３に一体化して回転操作部Ｅとし、当該回転操作部Ｅをハンドルベース２で回転可能に支持するようにしても良い。
【００１６】
【発明の効果】
以上のように、本発明の遊技球発射装置のハンドル構造によれば、遊技者の指と掌に捩れを生じず、しかも十分なフィット感が付与されるから、ハンドル操作する遊技者が疲労感を覚えることなくスムーズな回転操作を行うことができる。
【図面の簡単な説明】
【図１】本発明の一実施形態を示す、遊技機の前板に設けたハンドルの斜視図である。
【図２】ハンドルの正面図である。
【図３】ハンドルの左側面図である。
【図４】ハンドルの右側面図である。
【図５】ハンドルの平面図である。
【符号の説明】
１…ハンドル、２…ハンドルベース、３１，３２…指掛け部、３３…延出部、４…ハンドルカバー、４１…露出部、Ｅ…回転操作部。
【図１】
2004267354.tif 000003
【図２】
2004267354.tif 000004
【図３】
2004267354.tif 000005
【図４】
2004267354.tif 000006
【図５】
2004267354.tif 000007